【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】  ベッドフレームとともに使用される流動空気袋であって、
外壁と、
前記外壁と協働して流動領域を画定する複数の拡散器と、
前記流動領域に配置される流動可能媒体であって、前記複数の拡散器は、前記流動領域に空気を供給して前記流動可能媒体を流動させるように構成されている、流動可能媒体と、
を有する流動空気袋。
【請求項２】  前記複数の拡散器が、前記外壁と協働して前記流動領域を画定する凸状表面を有する請求項１に記載の流動空気袋。
【請求項３】  前記複数の拡散器が円筒状である請求項２に記載の流動空気袋。
【請求項４】  前記複数の拡散器が協働して凹状の拡散表面を形成する請求項１に記載の流動空気袋。
【請求項５】  前記凹状の拡散表面が実質的にＶ字形状である請求項４に記載の流動空気袋。
【請求項６】  前記複数の拡散器に供給される空気の流れが、前記ベッドフレームの移動に基づいて調節される請求項１に記載の流動空気袋。
【請求項７】  前記複数の拡散器のうちの第１の拡散器を通る空気の流れは、前記ベッドフレームの移動によって減少し、前記複数の拡散器のうちの第２の拡散器を通る空気の流れは、前記ベッドフレームの移動によって増加する請求項６に記載の流動空気袋。
【請求項８】  前記複数の拡散器が間隔を空けて配置される請求項１に記載の流動空気袋。
【請求項９】  前記複数の拡散器は、前記外壁と協働して、空気供給源から前記複数の拡散器に空気を供給する複数の充満部を画定する請求項１に記載の流動空気袋。
【請求項１０】  前記複数の拡散器が、通気性材料の１つのシートから作製される請求項１に記載の流動空気袋。
【請求項１１】  ベッドフレームとともに使用される流動空気袋であって、
外壁と、
前記外壁と協働して流動領域を画定する拡散装置と、
前記流動領域に配置される流動可能媒体であって、前記拡散装置は、第１流れ方向に空気を供給して前記流動可能媒体を流動させ、前記拡散装置は、第２流れ方向に空気を供給して前記流動可能媒体を流動させるように構成され、前記第１及び第２流れ方向は、前記第１及び第２流れ方向の間に協働して６０°より大きい角度を形成する、流動可能媒体と、
を有する流動空気袋。
【請求項１２】  前記拡散装置が、前記流動領域に対して前記第１流れ方向に空気を供給する第１拡散器と、前記流動領域に対して前記第２流れ方向に空気を供給する第２拡散器とを有する請求項１に記載の流動空気袋。
【請求項１３】  前記第１拡散器は、前記第１方向に従って前記流動領域に供給される空気が通る実質的に平らなシートを有し、前記第２拡散器は、前記第２方向に従って前記流動領域に供給される空気が通る第２の実質的に平らなシートを有する請求項１２に記載の流動空気袋。
【請求項１４】  前記第１拡散器は、前記第１方向に従って前記流動領域に空気を供給する凸状表面を有し、前記第２拡散器は、前記第２方向に従って前記流動領域に空気を供給する凸状表面を有する請求項１２に記載の流動空気袋。
【請求項１５】  前記第１及び第２方向の間に形成される角度が約９０°である請求項１１に記載の流動空気袋。
【請求項１６】  前記拡散装置が凹状の拡散表面を形成する請求項１１に記載の流動空気袋。
【請求項１７】  前記凹状の拡散表面が実質的にＶ字形状である請求項１６に記載の流動空気袋。
【請求項１８】  前記複数の拡散器は、前記外壁と協働して、空気供給源から前記複数の拡散器に空気を供給する複数の充満部を画定する請求項１１に記載の流動空気袋。
【請求項１９】  ベッドフレームとともに使用される流動空気袋であって、
外壁と、
前記外壁と協働して流動領域を画定する拡散装置と、
前記流動領域に配置される流動可能媒体であって、前記拡散装置は、前記流動領域に空気を供給して前記流動可能媒体を流動させるように構成され、前記空気の一部は、前記拡散装置から、前記流動領域内の箇所を通る第１流れ方向に流出し、前記空気の他の一部は、前記拡散装置から、前記流動領域内の前記箇所を通る第２流れ方向に流出する、流動可能媒体と、
を有する流動空気袋。
【請求項２０】  前記拡散装置が、前記第１流れ方向に従って前記流動領域に空気を供給する第１拡散器と、前記第２流れ方向に従って前記流動領域に空気を供給する第２拡散器とを有する請求項１９に記載の流動空気袋。
【請求項２１】  前記流動領域内の前記箇所が、前記流動領域の中央に位置する請求項１９に記載の流動空気袋。
【請求項２２】  前記流動領域内の前記箇所が、前記外壁に隣接する位置にある請求項１９に記載の流動空気袋。
【請求項２３】  前記拡散装置が、前記流動領域内の複数の箇所を通過する複数の第１流れ方向に従って前記流動領域に空気を供給するように構成され、前記複数の箇所を通過する複数の第２流れ方向に従って前記流動領域に空気を供給するように構成されている請求項１９に記載の流動空気袋。
【請求項２４】  前記複数の第１流れ方向は実質的に平行であり、前記複数の第２流れ方向は実質的に平行である請求項２３に記載の流動空気袋。
【請求項２５】  前記複数の第１流れ方向が１つの箇所から発出し、前記複数の第２流れ方向が１つの箇所から発出する請求項２３に記載の流動空気袋。
【請求項２６】  前記複数の箇所が、前記外壁に隣接する位置にある請求項２３に記載の流動空気袋。
【請求項２７】  ベッドフレームとともに使用される流動空気袋であって、
外壁と、
前記外壁と協働して流動領域を画定する凸状表面を有する拡散器と、
前記流動領域に配置される流動可能媒体であって、前記拡散器の前記凸状表面は、前記流動領域に空気を供給して前記流動可能媒体を流動させる、流動可能媒体と、
を有する流動空気袋。
【請求項２８】  前記凸状表面が実質的に曲面である請求項２７に記載の流動空気袋。
【請求項２９】  前記拡散器が管状である請求項２７に記載の流動空気袋。
【請求項３０】  前記拡散器の前記凸状表面と間隔を空けて配置された凸状表面を有する他の拡散器をさらに具備する請求項２７に記載の流動空気袋。
【請求項３１】  第１デッキ区分及び前記第１デッキ区分に対して移動するように構成されている第２デッキ区分を有するベッドフレームとともに使用される支持表面装置であって、
外壁、前記外壁と協働して流動領域を画定する拡散器及び前記流動領域内に配置される流動可能媒体を有する流動空気袋であって、前記拡散器は、前記流動領域に空気を供給して前記流動可能媒体を流動させる、流動空気袋と、
前記拡散器を前記ベッドフレームに対して移動させて前記流動可能媒体の流動を維持する機構と、
を有する支持表面装置。
【請求項３２】  前記機構は、前記第２デッキ区分が前記第１デッキ区分に対して移動したときに、前記流動空気袋を回転させるようになっている請求項３１に記載の支持表面装置。
【請求項３３】  前記機構が、前記第１デッキ区分に連結されるようになっているリンク機構を有する請求項３１に記載の支持表面装置。
【請求項３４】  前記機構は、前記第２デッキ区分が移動したときに収縮するように構成されている膨張可能なバッグを有する請求項３１に記載の支持表面装置。
【請求項３５】  実質的に水平な第１の位置から傾斜した位置まで移動するように構成されているデッキ区分を有する連結式デッキを具備するベッドフレームとともに使用される支持表面装置であって、
外壁、前記外壁と協働して流動領域を画定する拡散装置及び前記流動領域内に配置される流動可能媒体を有する流動空気袋であって、前記拡散装置は、前記流動領域に空気を供給して前記流動可能媒体を流動させる、流動空気袋と、
前記ベッドフレームの前記デッキ区分の移動によって前記拡散装置の一部を通る空気の流れを調節するように構成されている空気供給源と、
を有する支持表面装置。
【請求項３６】  前記拡散装置は第１拡散器及び第２拡散器を有し、前記空気供給源は、前記ベッドフレームの前記デッキ区分の移動によって、前記第１拡散器及び前記第２拡散器の間に供給された空気の流れの一部を移動させるように構成されている請求項３５に記載の支持表面装置。
【請求項３７】  前記空気供給源は、前記ベッドフレームの前記デッキ区分が水平位置にある場合は、前記第１拡散器及び前記第２拡散器に等量の空気を供給し、前記ベッドフレームの前記デッキ区分が傾斜位置にある場合は、前記第２拡散器に供給する空気よりも多い空気を前記第１拡散器に供給する請求項３６に記載の支持表面装置。
【請求項３８】  前記第１拡散器は、第１流路内の空気を前記空気袋の前記流動領域に供給し、前記第２拡散器は、第２流路内の空気を前記空気袋の前記流動領域に供給し、前記第１流路は、前記デッキ区分が実質的水平位置にあるときに実質的に鉛直であり、前記第２流路は、前記デッキ区分が傾斜位置にあるときに実質的に鉛直である請求項３６に記載の支持表面装置。
【請求項３９】  前記空気供給源は、前記ベッドフレームの前記デッキ区分の移動によって前記拡散装置の一部への空気の流れを調節するように構成されている弁及び加圧された空気の供給源を有する請求項３５に記載の支持表面装置。
【請求項４０】  実質的に水平な第１の位置から少なくとも１５°の傾斜位置まで移動するように構成されているデッキ区分を有する連結式デッキを具備するベッドフレームとともに使用される流動空気袋であって、
外壁と、
前記外壁と協働して流動領域を画定する拡散装置と、
前記流動領域内に配置される流動可能媒体であって、前記流動可能媒体の流動を維持するために前記デッキ区分が前記傾斜位置にあるときは、前記拡散装置が前記流動領域に実質的鉛直方向に空気を供給する、流動可能媒体と、
を有する流動空気袋。
【請求項４１】  前記デッキ区分が移動したときに、前記拡散装置を前記デッキ区分に対して回転させる機構をさらに有する請求項４０に記載の空気流動空気袋。
【請求項４２】  前記拡散装置は、前記デッキ区分が実質的鉛直位置にあるときに前記流動領域に空気を供給するように構成されている第１拡散器と、前記デッキ区分が前記傾斜位置にあるときに前記流動領域に空気を供給するように構成されている第２拡散器とを有する請求項４０に記載の空気流動空気袋。
【請求項４３】  実質的に水平な第１の位置から少なくとも１５°の傾斜位置まで移動するように構成されているデッキ区分を有する連結式デッキを具備するベッドフレームとともに使用される支持表面装置であって、
流動領域を有する内部領域を画定する外壁と、
前記流動領域内に配置される流動可能媒体と、
前記流動可能媒体を流動させるために前記流動領域に空気を供給するとともに、前記デッキ区分が前記傾斜位置にあるときは、少なくとも一部の空気が前記流動領域の中央部分を通って実質的鉛直方向に流れることを維持するように構成されている供給手段と、
を有する支持表面装置。
【請求項４４】  前記供給手段は、前記外壁と協働して前記流動領域を画定する複数の拡散器を有し、前記複数の拡散器は、前記流動領域に空気を供給するように構成されている請求項４３に記載の支持表面装置。
【請求項４５】  前記供給手段は、前記流動領域に空気を供給するように構成されている凸状表面を備える拡散器を有する請求項４３に記載の支持表面装置。
【請求項４６】  前記供給手段は、前記外壁と協働して前記流動領域を画定する複数の拡散器と、前記デッキ区分が回転したときに前記デッキ区分に対して前記拡散器を回転させるように構成されている機構とを有する請求項４３に記載の支持表面装置。